(57)【要約】      （修正有）【課題】仕訳データの置換ミスを未然に防ぐ情報処理装置及びプログラムを提供する。【解決手段】経営支援システム１において、サーバ２は、仕訳データ（取引データ）の置換内容をユーザ操作に基づき指定し、指定された置換内容を反映させた仕訳データを、端末装置３の表示部に表示させ、仕訳データの置換を、ユーザ操作に基づき確定させる。【選択図】図１
2019139604.tif 000002
【特許請求の範囲】
【請求項１】
取引データの置換内容をユーザ操作に基づき指定する指定手段と、
前記指定手段によって指定された置換内容を反映させた前記取引データを表示手段に表示させる第１の表示制御手段と、
前記取引データの置換をユーザ操作に基づき確定させる確定手段と、
を備えることを特徴とする情報処理装置。
【請求項２】
前記指定手段は、前記取引データの置換内容として、当該取引データの置換対象となる情報と、置換後の情報とをユーザ操作に基づき設定し、
前記第１の表示制御手段は、前記指定手段によって指定された前記置換対象となる情報と前記置換後の情報とを対応付けて反映させた前記取引データを前記表示手段に表示させることを特徴とする請求項１に記載の情報処理装置。
【請求項３】
前記確定手段によって前記取引データの置換を確定させる第１の操作ボタンを前記表示手段に表示させる第２の表示制御手段を備え、
前記第２の表示制御手段は、前記置換対象となる情報と前記置換後の情報とを対応付けて反映させた前記取引データが前記表示手段に表示されたことを契機として、前記第１の操作ボタンを操作可能な状態で前記表示手段に表示させることを特徴とする請求項２に記載の情報処理装置。
【請求項４】
前記表示手段に表示された前記置換対象となる情報と前記置換後の情報とを対応付けて反映させた前記取引データを置換の対象とするか否かをユーザ操作に基づき指定する置換対象指定手段を備え、
前記確定手段は、前記置換対象指定手段によって置換の対象に指定された前記取引データに対してのみ当該取引データの置換を確定させることを特徴とする請求項３に記載の情報処理装置。
【請求項５】
前記確定手段によって前記取引データの置換が確定された場合、前記取引データを前記置換後の情報を識別可能な状態で前記表示手段に表示させる第３の表示制御手段を備えることを特徴とする請求項２〜４のいずれか一項に記載の情報処理装置。
【請求項６】
前記第１の表示制御手段は、前記置換対象となる情報と前記置換後の情報とを対応付けて反映させた前記取引データを前記表示手段に表示させる際に、当該置換対象となる情報の置換に伴って変更を要する情報が発生した場合、当該変更を要する情報が発生した旨を告知する告知情報を当該取引データと対応付けて前記表示手段に表示させることを特徴とする請求項２〜５のいずれか一項に記載の情報処理装置。
【請求項７】
前記第１の表示制御手段は、更に、ユーザ操作に基づき前記告知情報が指定された場合、前記置換に伴う変更の概要を前記表示手段に表示させることを特徴とする請求項６に記載の情報処理装置。
【請求項８】
前記第１の表示制御手段は、更に、
前記置換対象となる情報と前記置換後の情報とを対応付けて反映させた前記取引データの詳細情報を表示させるための第２の操作ボタンを当該取引データと対応付けて前記表示手段に表示させ、
前記置換対象となる情報の置換に伴って変更を要する情報が発生した場合、前記第２の操作ボタンの操作に基づき、対応する前記取引データの詳細情報を前記置換に伴う変更の内容を反映させた状態で表示させることを特徴とする請求項６又は７に記載の情報処理装置。
【請求項９】
前記置換対象指定手段によって前記取引データを置換の対象とするか否かを指定するための置換対象指定フォームは、前記第１の操作ボタンの近傍に配置しないことを特徴とする請求項４に記載の情報処理装置。
【請求項１０】
コンピュータを、
取引データの置換内容をユーザ操作に基づき指定する指定手段、
前記指定手段によって指定された置換内容を反映させた前記取引データを表示手段に表示させる表示制御手段、
前記取引データの置換をユーザ操作に基づき確定させる確定手段、
として機能させることを特徴とするプログラム。
【発明の詳細な説明】
【技術分野】
【０００１】
本発明は、情報処理装置及びプログラムに関する。
【背景技術】
【０００２】
従来、取引入力をサポートする会計処理システムが知られている。この会計処理システムの利用は主に取引入力に不慣れな事業者を対象としているため、過去の取引について、税理士や会計士など専門家による指摘、あるいは事業者自身の都合で、より適切な仕訳データになるよう修正を行うケースがある。
【０００３】
そこで、上記のような修正を簡便に行うべく、例えば、同じ取引内容で異なる勘定科目が登録された仕訳データを今回決定された勘定科目に更新する科目修正反映部を備える会計処理システムが提案されている（特許文献１参照）。また、文書中の複数箇所に存在する特定文字列のうちユーザが意図した箇所の特定文字列のみを短時間で置換できる文書処理装置が提案されている（特許文献２参照）。
【先行技術文献】
【特許文献】
【０００４】
【特許文献１】特開２０１５−１４８５４
【特許文献２】特開平８−７７１６７
【発明の概要】
【発明が解決しようとする課題】
【０００５】
しかしながら、事業者の損益や納税額に直接関わる取引データを一括して変更することは、単なる文字列の変更とは異なりミスが許容されないため、細やかに配慮された修正及び確認方法の要請があるが、上記特許文献１の会計処理システムや上記特許文献２の文書処理装置では、このような観点での機能提供が十分ではなく、結果として、不要なところまでデータ変更してしまう等のミスはユーザの自己責任となっていた。
【０００６】
本発明は、このような問題に鑑みてなされたものであり、取引データの置換ミスを未然に防ぐことを目的とする。
【課題を解決するための手段】
【０００７】
上記課題を解決するため、本発明に係る情報処理装置は、
取引データの置換内容をユーザ操作に基づき指定する指定手段と、
前記指定手段によって指定された置換内容を反映させた前記取引データを表示手段に表示させる第１の表示制御手段と、
前記取引データの置換をユーザ操作に基づき確定させる確定手段と、
を備えることを特徴とする。
【発明の効果】
【０００８】
本発明によれば、取引データの置換ミスを未然に防ぐことができる。
【図面の簡単な説明】
【０００９】
【図１】本発明の実施の形態の経営支援システムを示すブロック図である。
【図２】サーバの機能構成を示すブロック図である。
【図３】端末装置の機能構成を示すブロック図である。
【図４】第１の検索条件入力フォームが表示されているときの初期画面を示す図である。
【図５】第１の検索条件入力フォームに検索オプションの項目が追加表示された状態を示す図である。
【図６】検索結果画面の一例を示す図である。
【図７】検索結果画面の一例を示す図である。
【図８】検索結果画面の一例を示す図である。
【図９】検索結果画面の一例を示す図である。
【図１０】検索結果画面の一例を示す図である。
【図１１】プレビュー画面の一例を示す図である。
【図１２】仕訳帳明細画面の一例を示す図である。
【図１３】置換結果画面の一例を示す図である。
【図１４】第２の検索条件入力フォームが表示されているときの初期画面を示す図である。
【図１５】検索結果画面の一例を示す図である。
【図１６】削除結果画面の一例を示す図である。
【図１７】第３の検索条件入力フォームが表示されているときの初期画面を示す図である。
【図１８】履歴画面の一例を示す図である。
【図１９】検索結果画面の一例を示す図である。
【図２０】検索結果画面の一例を示す図である。
【図２１】一括取消操作画面の一例を示す図である。
【図２２】一括取消結果画面の一例を示す図である。
【図２３】一括取消操作画面の一例を示す図である。
【図２４】一括取消結果画面の一例を示す図である。
【図２５】詳細画面の一例を示す図である。
【図２６】詳細画面の一例を示す図である。
【図２７】詳細画面の一例を示す図である。
【図２８】詳細画面の一例を示す図である。
【図２９】一括置換処理を示すフローチャートである。
【図３０】一括削除処理を示すフローチャートである。
【図３１】履歴検索処理を示すフローチャートである。
【発明を実施するための形態】
【００１０】
以下に、本発明について、図面を用いて具体的な態様を説明する。ただし、発明の範囲は、図示例に限定されない。
【００１１】
＜経営支援システム１の構成＞
まず、図１を参照して、本実施形態の構成を説明する。図１は、本実施形態の経営支援システム１の概略構成図である。
【００１２】
本実施形態の経営支援システム１は、例えば、経営者であるユーザが行う会計管理業務、給与管理業務、売上集計管理業務を支援するシステムである。
【００１３】
図１に示すように、経営支援システム１は、サーバ（情報処理装置）２と、複数の端末装置３とを備えている。サーバ２と端末装置３とは通信ネットワークＮを介して情報通信可能に接続される。
【００１４】
サーバ２は、例えば、クラウド上のサーバであり、上述した会計管理業務を支援するための会計サービス、給与管理業務を支援するための給与サービス、売上集計管理業務を支援するための売上サービスを提供する。
【００１５】
端末装置３は、例えば、個人企業のオーナー、中小企業のオーナー、個人商店の店主等のユーザが所持する端末装置である。この端末装置３としては、例えば、スマートフォン、タブレットＰＣ（Personal Computer）、携帯電話機、ＰＤＡ（Personal Digital Assistant）、ノートＰＣ、デスクトップＰＣ等が挙げられる。
また、端末装置３は、ブラウザ等により、ユーザの操作入力を受け付けてサーバ２に送信し、サーバ２から送信された情報を受信して表示する。
【００１６】
通信ネットワークＮは、例えば、インターネットであるものとするが、ＬＡＮ（Local Area Network）等、他のネットワークとしても良い。
【００１７】
＜サーバ２の構成＞
次に、図２を参照して、サーバ２の構成について説明する。図２は、サーバ２の機能的構成を示すブロック図である。
【００１８】
図２に示すように、サーバ２は、ＣＰＵ（Central Processing Unit）２１と、ＲＡＭ（Random Access Memory）２２と、記憶部２３と、操作部２４と、表示部２５と、通信部２６とを備えている。また、サーバ２の各部は、バス２７を介して接続されている。
【００１９】
ＣＰＵ（指定手段、第１の表示制御手段、確定手段、第２の表示制御手段、置換対象指定手段、第３の表示制御手段）２１は、記憶部２３に記憶されているシステムプログラムやアプリケーションプログラムといった各種のプログラムを読み出してＲＡＭ２２のワークエリアに展開し、当該プログラムに従ってサーバ２の各部の動作を制御する。例えば、ＣＰＵ２１は、アプリケーションプログラムの実行結果に応じて、端末装置３の表示部３５に当該実行結果に係る表示を行わせるための制御信号を生成し、通信部２６を介して端末装置３に送信する。
【００２０】
ＲＡＭ２２は、例えば、揮発性のメモリであり、ＣＰＵ２１により読み出された各種のプログラムやデータを一時的に格納するワークエリアを有する。
【００２１】
記憶部２３は、例えば、ＨＤＤ（Hard Disk Drive）、ＳＳＤ（Solid State Drive）、ＥＥＰＲＯＭ（Electrically Erasable Programmable Read Only Memory）、フラッシュメモリなどにより構成される。
記憶部２３には、ＣＰＵ２１で実行されるシステムプログラム、Ｗｅｂサーバプログラム等のアプリケーションプログラム、これらのプログラムの実行に必要なデータ等が記憶されている。アプリケーションプログラムには、会計アプリケーションプログラム、給与アプリケーションプログラム、売上集計管理アプリケーションプログラムといった各種プログラムが含まれる。これらのプログラムは、コンピュータ読み取り可能なプログラムコードの形態で記憶部２３に格納されている。ＣＰＵ２１は、当該プログラムコードに従った動作を逐次実行する。
【００２２】
また、記憶部２３には、一括置換処理や一括削除処理で使用される仕訳データ、一括置換処理や一括削除処理の履歴情報などが記憶されている。各仕訳データは、置換区分（後述）と対応付けられて記憶されている。また、各履歴情報は、対応する一括置換処理又は一括削除処理がなされた際の変更の内容や、当該一括置換処理又は一括削除処理が取り消されている場合には、当該一括置換処理又は一括削除処理の取消内容などがそれぞれ対応付けられて記憶されている。
【００２３】
操作部２４は、例えば、キーボード等のキー入力部と、マウス等のポインティングデバイスとを有している。また、操作部２４は、キー入力及び位置入力を受け付け、その操作情報をＣＰＵ２１に出力する。
【００２４】
表示部２５は、例えば、ＬＣＤ（Liquid Crystal Display）や有機ＥＬ（Electro Luminescence）ディスプレイ等から構成されている。また、表示部２５には、ＣＰＵ２１から出力されて入力される表示信号の指示に従って、各種画面を表示する。
【００２５】
通信部２６は、例えば、ネットワークカード等により構成されている。また、通信部２６は、通信ネットワークＮに通信接続されて、通信ネットワークＮ上の機器（例えば、端末装置３等）との通信を行う。
【００２６】
＜端末装置３の構成＞
次に、図３を参照して、端末装置３の機能的構成について説明する。図３は、端末装置３の機能的構成を示すブロック図である。
【００２７】
図３に示すように、端末装置３は、ＣＰＵ３１と、ＲＡＭ３２と、記憶部３３と、操作部３４と、表示部３５（表示手段）と、無線通信部３６とを備えている。また、端末装置３の各部は、バス３７を介して接続されている。
【００２８】
ＣＰＵ３１は、記憶部３３に記憶されているシステムプログラムやアプリケーションプログラムといった各種プログラムを読み出してＲＡＭ３２のワークエリアに展開し、当該プログラムに従って端末装置３の各部の動作を制御する。例えば、ＣＰＵ３１は、ブラウザなどの情報表示入力プログラムを実行して、操作部３４に対するユーザの入力操作の内容に基づく情報を無線通信部３６によりサーバ２に送信させたり、サーバ２から受信した情報を表示部３５に表示させたりする。
【００２９】
ＲＡＭ３２は、例えば、揮発性のメモリであり、ＣＰＵ３１により読み出された各種のプログラムやデータを一時的に格納するワークエリアを有する。
【００３０】
記憶部３３は、例えば、ＨＤＤ、ＳＳＤ、ＥＥＰＲＯＭ、フラッシュメモリなどにより構成される。記憶部３３には、ＣＰＵ３１で実行されるシステムプログラムやＷｅｂブラウザ等のアプリケーションプログラム、これらのプログラムの実行に必要なデータ等が記憶されている。
【００３１】
操作部３４は、例えば、タッチパネルを備え、ユーザからのタッチ入力を受け付け、その操作情報をＣＰＵ３１に出力する。  
タッチパネルは、表示部３５と一体となって形成され、例えば、静電容量方式、抵抗膜方式、超音波表面弾性波方式等の各種方式により、ユーザによる表示部３５上の接触位置のＸＹ座標を検出する。そして、タッチパネルは、接触位置のＸＹ座標に係る位置信号をＣＰＵ３１に出力する。
【００３２】
表示部（表示手段）３５は、例えば、ＬＣＤや有機ＥＬディスプレイ等から構成されている。また、表示部３５には、ＣＰＵ３１から出力されて入力される表示信号の指示に従って、各種画面を表示する。
【００３３】
無線通信部３６は、例えば、アンテナ、変復調回路、信号処理回路等により構成されている。また、無線通信部３６は、通信ネットワークＮに接続されている基地局やアクセスポイント等と無線電波により情報の送受信を行い、通信ネットワークＮ上の機器（例えば、サーバ２等）との通信を行う。
【００３４】
＜一括変更機能＞
次に、サーバ２により提供される会計サービスの一環としての一括変更機能について説明する。ここで、一括変更機能とは、例えばサーバ２に登録された仕訳データ（取引データ）の所望の項目の情報を一括で変更する機能をいう。
【００３５】
図４は、一括変更機能に係る初期画面４１を示す図である。
初期画面４１は、例えば、会計アプリケーションプログラム起動時のトップ画面（図示省略）が表示部３５に表示されている状態において、端末装置３の操作部３４を介して、ユーザにより「取引の一括変更」アイコン（図示省略）が押下されることによって表示部３５に表示される画面である。
【００３６】
図４に示すように、初期画面４１では、デフォルトとして、一括置換の対象となる仕訳データを検索するための第１の検索条件入力フォームＦ１が表示される。第１の検索条件入力フォームＦ１の左上部には、この第１の検索条件入力フォームＦ１を切替表示するための一括置換タブｔｂ１が表示されている。一括置換タブｔｂ１の右方には、一括削除タブｔｂ２と履歴検索タブｔｂ３とが表示されている。一括削除タブｔｂ２は、一括削除の対象となる仕訳データを検索するための第２の検索条件入力フォームＦ２（後述）を切替表示するためのタブである。履歴検索タブｔｂ３は、既に実行された一括変更（一括置換及び／又は一括削除）の履歴を検索するための第３の検索条件入力フォームＦ３（後述）を切替表示するためのタブである。
【００３７】
第１の検索条件入力フォームＦ１では、検索をかける期間を指定するための指定入力部Ａ１、並びに、入力方法、取引区分、管理番号、摘要及び勘定科目の各検索項目に係る情報を指定入力するための指定入力部Ａ２〜Ａ６が表示される。指定入力部Ａ１は、指定方法（月度又は日付）を選択するためのラジオボタンＡ１ａと、開始タイミング及び終了タイミングを選択するためのセレクトボックスＡ１ｂとによって構成されている。なお、図４の初期画面４１では、２０１７年１０月３１日以前の取引は追加・変更が制限される旨のメッセージＭＳが第１の検索条件入力フォームＦ１の上方に表示されているため、指定入力部Ａ１に入力可能な期間は、２０１７年１１月１日以降に制限される。
【００３８】
また、初期画面４１では、検索を実行するための検索ボタンＢ１及び各指定入力部に入力された情報をクリアするためのクリアボタンＢ２が第１の検索条件入力フォームＦ１の左下方に表示されるとともに、検索オプションの項目を追加表示するための検索オプションボタンＢ３が第１の検索条件入力フォームＦ１の右下方に表示される。
ユーザは、検索オプションボタンＢ３の押下操作を行うことで、第１の検索条件入力フォームＦ１に検索オプションの項目を追加表示させることができる。
【００３９】
図５は、第１の検索条件入力フォームＦ１に検索オプションの項目が追加表示された状態を示す図である。
図５に示すように、第１の検索条件入力フォームＦ１には、取引先、事業区分、所属、金額、画像の各検索オプションの項目に係る情報を指定入力するための指定入力部Ａ７〜Ａ１１が表示される。
なお、ユーザは、第１の検索条件入力フォームＦ１に検索オプションの項目が追加表示されているときに検索オプションボタンＢ３の押下操作を行うことで、検索オプションの項目を非表示にすることができる。つまり、図４の初期画面４１の状態に戻すことができる。
【００４０】
次に、初期画面４１において、検索ボタンＢ１の押下操作が行われた際に表示される検索結果画面について説明する。
【００４１】
図６は、第１の検索条件入力フォームＦ１に入力された情報に基づき検索が行われたときの検索結果画面４２を示す図である。
図６に示すように、検索結果画面４２では、デフォルトとして、取引区分が「収入」である仕訳データについて一括置換を行う際に用いられる第１の置換条件入力フォームＦ４が第１の検索条件入力フォームＦ１の下方に表示される。また、第１の置換条件入力フォームＦ４の下方には、検索条件に該当し、且つ、取引区分が「収入」である仕訳データをピックアップした一覧表Ｌ１が表示される。なお、図６の検索結果画面４２では、第１の検索条件入力フォームＦ１の表示を省略している。
【００４２】
第１の置換条件入力フォームＦ４では、取引区分が「収入」である仕訳データの構成に従い、「決済方法」、「取引先」、「管理番号」、「摘要」、「勘定科目」、「所属」の項目が設定されている。第１の置換条件入力フォームＦ４では、これらの項目ごとに、一括置換の対象となる情報（一括置換させたい情報）を指定入力するための指定入力部Ａ１２〜Ａ１７と、置換後の情報を指定入力するための指定入力部Ａ１８〜Ａ２３とが互いに対応付けられて表示される。図６に示すように、「決済項目」の項目の指定入力部Ａ１２に「現金」が入力される一方で、指定入力部Ａ１８がブランクの状態の場合、「決済項目」の項目の情報は、一括置換後も「現金」として引き継がれるようになっている（他の置換条件入力フォームＦ５〜Ｆ８も同様）。また、「摘要」の項目の指定入力部Ａ１５がブランクの状態である一方で、指定入力部Ａ２１に「売上を計上した」が入力された場合、置換前に「摘要」の項目がブランクの状態であった仕訳データを対象として、一括置換後に「摘要」の項目に「売上を計上した」が追加されるようになっている（他の置換条件入力フォームＦ５〜Ｆ７も同様）。
【００４３】
一覧表Ｌ１では、ピックアップされた仕訳データごとに、「日付」、「決済方法」、「取引先」、「管理番号」、「摘要」、「勘定科目」、「取引金額（円）」、「所属」のそれぞれの項目の情報が表示される。また、一覧表Ｌ１では、「日付」の項目の左隣に、各仕訳データに対応付けられたチェックボックスＣＢ１が表示されるとともに、「所属」の項目の右隣に、各仕訳データに対応付けられた虫めがねボタンＢ４が表示される。チェックボックスＣＢ１は、各チェックボックスＣＢ１に対応付けられた仕訳データを一括置換の対象とするか否かを指定するためのチェックボックスである。虫めがねボタンＢ４は、各虫めがねボタンＢ４に対応付けられた仕訳データにおいて一覧表Ｌ１に表示しきれなかった情報を表示させるためのボタンである。
【００４４】
また、検索結果画面４２では、第１の置換条件入力フォームＦ４の右下方に、確認ボタンＢ５と一括置換ボタンＢ６とが表示される。
ユーザは、確認ボタンＢ５の押下操作を行うことで、一覧表Ｌ１に表示され、且つ、チェックボックスＣＢ１にチェックが入れられた各仕訳データを対象として、一括置換の前後の情報をそれぞれ確認することができるプレビュー画面（確認画面）を表示することができる。なお、確認ボタンＢ５の押下操作が行われる前の段階では、一括置換ボタンＢ６は、押下操作を行うことができない状態（非活性状態）となっている。
【００４５】
また、検索結果画面４２では、一覧表Ｌ１の左上方に、すべて選択ボタンＢ７と、すべて解除ボタンＢ８とが表示される。
ユーザは、すべて選択ボタンＢ７の押下操作を行うことで、一覧表Ｌ１にピックアップされたすべての仕訳データのチェックボックスＣＢ１にチェックを入れることができる。一方、すべて解除ボタンＢ８の押下操作を行うことで、一覧表Ｌ１にピックアップされた各仕訳データのチェックボックスＣＢ１のチェックを外すことができる。
なお、チェックボックスＣＢ１にチェックを入れると、このチェックボックスＣＢ１に対応した仕訳データの各情報が太文字で表示されるようになっている。一方、チェックボックスＣＢ１のチェックを外すと、このチェックボックスＣＢ１に対応した仕訳データの各情報が細文字で表示されるようになっている。
【００４６】
また、検索結果画面４２では、第１の置換条件入力フォームＦ４の左上部に、この第１の置換条件入力フォームＦ４を切替表示するための収入タブｔｂ４が表示される。さらに、収入タブｔｂ４の右方には、支出タブｔｂ５、振替タブｔｂ６、振替伝票タブｔｂ７、レジ連携タブｔｂ８がそれぞれ表示される。図６の例では、収入タブｔｂ４、支出タブｔｂ５、振替タブｔｂ６、振替伝票タブｔｂ７、レジ連携タブｔｂ８のいずれも押下操作を行うことができる状態で表示されている。これは、取引区分が「収入」、「支出」、「振替」である仕訳データ、並びに、入力方法が「振替伝票」、「レジ連携」である仕訳データのすべてに検索条件に該当する仕訳データが存在することを示している。つまり、例えば、取引区分が「振替」である仕訳データに検索条件に該当する仕訳データが存在しない場合、振替タブｔｂ６は押下操作を行うことができない状態で表示されることとなる。
【００４７】
支出タブｔｂ５は、取引区分が「支出」である仕訳データについて一括置換を行う際に用いられる第２の置換条件入力フォームＦ５（後述）を切替表示するためのタブである。振替タブｔｂ６は、取引区分が「振替」である仕訳データについて一括置換を行う際に用いられる第３の置換条件入力フォームＦ６（後述）を切替表示するためのタブである。振替伝票タブｔｂ７は、入力方法が「振替伝票」である仕訳データについて一括置換を行う際に用いられる第４の置換条件入力フォームＦ７（後述）を切替表示するためのタブである。レジ連携タブｔｂ８は、入力方法が「レジ連携」である仕訳データについて一括置換を行う際に用いられる第５の置換条件入力フォームＦ８（後述）を切替表示するためのタブである。ここで、「レジ連携」とは、ユーザが経営する店舗等で使用されるレジスタの売上データをサーバ２へ入力する入力方法をいう。
【００４８】
支出タブｔｂ５の押下操作が行われると、図７に示すように、検索結果画面４２において、第２の置換条件入力フォームＦ５が第１の検索条件入力フォームＦ１の下方に表示される。また、第２の置換条件入力フォームＦ５の下方には、検索条件に該当し、且つ、取引区分が「支出」である仕訳データをピックアップした一覧表Ｌ２が表示される。
【００４９】
第２の置換条件入力フォームＦ５では、取引区分が「支出」である仕訳データの構成に従い、「決済方法」、「取引先」、「管理番号」、「摘要」、「勘定科目」、「所属」の項目が設定されている。第２の置換条件入力フォームＦ５では、これらの項目ごとに、一括置換の対象となる情報（一括置換させたい情報）を指定入力するための指定入力部Ａ２４〜Ａ２９と、置換後の情報を指定入力するための指定入力部Ａ３０〜Ａ３５とが互いに対応付けられて表示される。
【００５０】
一覧表Ｌ２では、ピックアップされた仕訳データごとに、「日付」、「決済方法」、「取引先」、「管理番号」、「摘要」、「勘定科目」、「取引金額（円）」、「所属」のそれぞれの項目の情報が表示される。また、一覧表Ｌ２では、一覧表Ｌ１と同様に、「日付」の項目の左隣に、各仕訳データに対応付けられたチェックボックスＣＢ１が設けられるとともに、「所属」の項目の右隣に、各仕訳データに対応付けられた虫めがねボタンＢ４が表示される。
【００５１】
また、振替タブｔｂ６の押下操作が行われると、図８に示すように、検索結果画面４２において、第３の置換条件入力フォームＦ６が第１の検索条件入力フォームＦ１の下方に表示される。また、第３の置換条件入力フォームＦ６の下方には、検索条件に該当し、且つ、取引区分が「振替」である仕訳データをピックアップした一覧表Ｌ３が表示される。
【００５２】
第３の置換条件入力フォームＦ６では、取引区分が「振替」である仕訳データの構成に従い、「振替元」、「振替先」、「摘要」の項目が設定されている。第３の置換条件入力フォームＦ６では、これらの項目ごとに、一括置換の対象となる情報（一括置換させたい情報）を指定入力するための指定入力部Ａ３６〜Ａ３８と、置換後の情報を指定入力するための指定入力部Ａ３９〜Ａ４１とが互いに対応付けられて表示される。
【００５３】
一覧表Ｌ３では、ピックアップされた仕訳データごとに、「日付」、「振替元」、「振替元取引先」、「振替先」、「振替先取引先」、「摘要」、「金額（円）」、「手数料」のそれぞれの項目の情報が表示される。また、一覧表Ｌ３では、一覧表Ｌ１、Ｌ２と同様に、「日付」の項目の左隣に、各仕訳データに対応付けられたチェックボックスＣＢ１が表示されるとともに、「手数料」の項目の右隣に、各仕訳データに対応付けられた虫めがねボタンＢ４が表示される。
【００５４】
また、振替伝票タブｔｂ７の押下操作が行われると、図９に示すように、検索結果画面４２において、第４の置換条件入力フォームＦ７が第１の検索条件入力フォームＦ１の下方に表示される。また、第４の置換条件入力フォームＦ７の下方には、検索条件に該当し、且つ、入力方法が「振替伝票」である仕訳データをピックアップした一覧表Ｌ４が表示される。
【００５５】
第４の置換条件入力フォームＦ７では、入力方法が「振替伝票」である仕訳データの構成に従い、「取引先」、「管理番号」、「摘要」、「借方（勘定科目及び所属）」、「貸方（勘定科目及び所属）」の項目が設定されている。第４の置換条件入力フォームＦ７では、これらの項目ごとに、一括置換の対象となる情報（一括置換させたい情報）を指定入力するための指定入力部Ａ４２〜Ａ４６と、置換後の情報を指定入力するための指定入力部Ａ４７〜Ａ５１とが互いに対応付けられて表示される。
【００５６】
一覧表Ｌ４では、ピックアップされた仕訳データごとに、「日付」、「取引先」、「管理番号」、「摘要」、「勘定科目」、「取引金額（円）」、「所属」のそれぞれの項目の情報が表示される。また、一覧表Ｌ４では、一覧表Ｌ１〜Ｌ３と同様に、「日付」の項目の左隣に、各仕訳データに対応付けられたチェックボックスＣＢ１が表示されるとともに、「所属」の項目の右隣に、各仕訳データに対応付けられた虫めがねボタンＢ４が表示される。
【００５７】
また、レジ連携タブｔｂ８の押下操作が行われると、図１０に示すように、検索結果画面４２において、第５の置換条件入力フォームＦ８が第１の検索条件入力フォームＦ１の下方に表示される。また、第５の置換条件入力フォームＦ８の下方には、検索条件に該当し、且つ、入力方法が「レジ連携」である仕訳データをピックアップした一覧表Ｌ５が表示される。
【００５８】
第５の置換条件入力フォームＦ８では、入力方法が「レジ連携」である仕訳データの構成に従い、「事業区分」の項目のみが設定されている。ここで、入力方法が「レジ連携」である仕訳データには、「事業区分」の項目以外に、「摘要」、「勘定科目」、「取引金額（円）」などの項目が設定されているが、「事業区分」の項目以外の各項目の情報は置換する必要がないため、第５の置換条件入力フォームＦ８では、「事業区分」の項目のみが設定されている。第５の置換条件入力フォームＦ８では、「事業区分」の項目において、一括置換の対象となる情報（一括置換させたい情報）を指定入力するための指定入力部Ａ５２と、置換後の情報を指定入力するための指定入力部Ａ５３とが互いに対応付けられて表示される。
【００５９】
一覧表Ｌ５では、ピックアップされ日付ごとにまとめられた仕訳データごとに、「日付」、「摘要」、「勘定科目」、「取引金額（円）」、「事業区分」のそれぞれの項目の情報が表示される。また、一覧表Ｌ５では、一覧表Ｌ１〜Ｌ４と同様に、「日付」の項目の左隣に、各仕訳データに対応付けられたチェックボックスＣＢ１が表示されるとともに、「事業区分」の項目の右隣に、各仕訳データに対応付けられた虫めがねボタンＢ４が表示される。
【００６０】
次に、検索結果画面４２において、確認ボタンＢ５の押下操作が行われた際に表示されるプレビュー画面（確認画面）の一例について説明する。
【００６１】
図１１は、図６の検索結果画面４２において確認ボタンＢ５の押下操作が行われた際のプレビュー画面４３を示す図である。プレビュー画面４３では、一覧表Ｌ１にピックアップされた仕訳データについて、一括置換の対象であるか否かを確認できるとともに、一括置換の対象となった仕訳データについては、置換前と置換後のそれぞれの情報を確認できるようになっている。
【００６２】
図１１の例では、置換前条件として、「決済方法」の指定入力部Ａ１２に「現金」が入力され、「取引先」の指定入力部Ａ１３に「取引先Ａ」が入力され、「勘定科目」の指定入力部Ａ１６に「雑収入」及び「その他雑収入」が入力され、「所属」の指定入力部Ａ１７に「すべて」が入力されているため（図６参照）、これらの情報すべてに一致する仕訳データ（一覧表Ｌ１中の上から１〜３番目と６番目の仕訳データ）が一括置換の対象となっている。なお、一括置換の対象とするか否かについては、指定入力部Ａ１２〜Ａ１７のそれぞれに入力された情報のうちの少なくとも一の情報が一致すれば一括置換の対象とするようにしても良い。かかる場合、一致した情報のみを置換の対象とする。
【００６３】
また、図１１の例では、置換後条件として、「取引先」の指定入力部Ａ１９に「取引先Ｂ」が入力されているため（図６参照）、一括置換の対象とされた各仕訳データの「取引先」の置換前の情報「取引先Ａ」に赤色（図中では破線で示す）の取消線が付され、当該置換前の情報の真下に、置換後の情報「取引先Ｂ」が赤色の太文字（図中では白抜き文字で示す）で表示される。また、置換後条件として入力された「摘要」、「勘定科目」、「所属」のそれぞれの項目の情報についても、「取引先」の項目と同様の表示がなされる。ただし、「摘要」の項目については、置換前条件が入力されていないため、置換後の情報「売上を計上した」の真上が空白となっている。
【００６４】
また、プレビュー画面４３では、一覧表Ｌ１中の上から一番目の仕訳データに対応した虫めがねボタンＢ４の真下に丸囲みの「！」マークＭ１が表示されている。この「！」マークＭ１は、確認ボタンＢ５の押下操作が行われた際、置換に伴って一覧表Ｌ１に表示しきれなかった情報（例えば、消費税区分や消費税額等）に変更が生じる場合に付されるマークである。
【００６５】
ユーザは、操作部３４を介して、「！」マークＭ１にポインター（図示省略）が重なるように当該ポインターを移動させることで、一覧表Ｌ１に表示しきれなかった情報が変更されることを示すメッセージ（例えば、「消費税区分と消費税額が変更されます。詳細を確認してください。」）を表示することができる。また、「！」マークＭ１が真下に表示されている虫めがねボタンＢ４の押下操作を行うことで、図１２に示すように、貸方合計消費税額（円）と貸方課税区分とが変更された仕訳帳明細画面４４を表示することができる。この仕訳帳明細画面４４には閉じるボタンＢ９が表示されており、ユーザは、閉じるボタンＢ９の押下操作を行うことで、仕訳帳明細画面４４を閉じることができる。
【００６６】
次に、図１１のプレビュー画面４３において、一括置換ボタンＢ６の押下操作が行われた際に表示される置換結果画面について説明する。なお、一括置換ボタンＢ６は、確認ボタンＢ５の押下操作が行われたことを契機として、押下操作を行うことができない状態（非活性状態）から押下操作を行うことができる状態（活性状態）に変換される。
【００６７】
図１３は、図１１のプレビュー画面４３において、一括置換ボタンＢ６の押下操作が行われた際の置換結果画面４５を示す図である。
図１３に示すように、置換結果画面４５では、一括置換された仕訳データを確認できるようになっている。具体的には、一括置換の対象とされた仕訳データの各情報はすべて太文字で表示されるとともに、当該仕訳データの「日付」の項目の左隣に設けられた「状態」の項目に、太文字による「置換済」が表示される。一方、一括置換の対象外とされた仕訳データの各情報はすべて灰色文字（図中では細文字で示す）で表示されるとともに、当該仕訳データの「状態」の項目に、灰色文字による「対象外」が表示される。
また、一括置換の対象とされた仕訳データの置換後の情報（例えば、「取引先」の項目の情報「取引先Ｂ」等）は赤色文字（図中では白抜き文字で示す）で表示される。また、一括置換によって一覧表Ｌ１に表示しきれなかった情報（例えば、消費税区分や消費税額等）に変更が生じた仕訳データについては、プレビュー画面４３と同様に、当該仕訳データの虫めがねボタンＢ４の真下に丸囲みの「！」マークＭ１が表示される。
【００６８】
次に、初期画面４１において、一括削除タブｔｂ２の押下操作が行われた際に切替表示される第２の検索条件入力フォームＦ２について説明する。
【００６９】
図１４は、第２の検索条件入力フォームＦ２が表示されているときの初期画面４１を示す図である。
図１４に示すように、第２の検索条件入力フォームＦ２では、第１の検索条件入力フォームＦ１と同様に、検索をかける期間を指定するための指定入力部Ａ１、並びに、入力方法、取引区分、管理番号、摘要及び勘定科目の各検索項目に係る情報を指定入力するための指定入力部Ａ２〜Ａ６が表示される。指定入力部Ａ１は、指定方法（月度又は日付）を選択するためのラジオボタンＡ１ａと、開始タイミング及び終了タイミングを選択するためのセレクトボックスＡ１ｂとによって構成されている。
【００７０】
次に、第２の検索条件入力フォームＦ２が表示されているときの初期画面４１において、検索ボタンＢ１の押下操作が行われた際に表示される検索結果画面について説明する。
【００７１】
図１５は、図１４の初期画面４１において、検索ボタンＢ１の押下操作が行われた際の検索結果画面４６を示す図である。
図１５に示すように、検索結果画面４６では、第２の検索条件入力フォームＦ２の下方に、検索条件に該当する仕訳データをピックアップした一覧表Ｌ６が表示される。なお、図１５の検索結果画面４６では、第２の検索条件入力フォームＦ２の表示を省略している。
【００７２】
一覧表Ｌ６では、ピックアップされた仕訳データごとに、「入力（入力方法）」、「取引先」、「区分（取引区分）」、「日付」、「管理番号」、「摘要」、「勘定科目」、「取引金額（円）」のそれぞれの項目の情報に赤色（図中では破線で示す）の取消線が付された状態で表示される。また、一覧表Ｌ６では、「入力（入力方法）」の項目の左隣に、各仕訳データに対応付けられたチェックボックスＣＢ１が表示されるとともに、「取引金額（円）」の項目の右隣に、各仕訳データに対応付けられた虫めがねボタンＢ４が表示される。
【００７３】
一覧表Ｌ６で用いられているチェックボックスＣＢ１は、各チェックボックスＣＢ１に対応する仕訳データを一括削除の対象とするか否かを指定するためのチェックボックスである。チェックボックスＣＢ１にチェックを入れると、このチェックボックスＣＢ１に対応する仕訳データの各情報が太文字で表示され、チェックボックスＣＢ１に入れられたチェックを外すと、このチェックボックスＣＢ１に対応する仕訳データの各情報が細文字で表示されるようになっている。
【００７４】
また、検索結果画面４６では、一覧表Ｌ６の右上方に一括削除ボタンＢ１０が表示される。
ユーザは、一括削除ボタンＢ１０の押下操作を行うことで、削除結果画面を表示することができる。
【００７５】
次に、一括削除ボタンＢ１０の押下操作が行われた際に表示される削除結果画面について説明する。
【００７６】
図１６は、図１５の検索結果画面４６において、一括削除ボタンＢ１０の押下操作が行われた際の削除結果画面４７を示す図である。
図１６に示すように、削除結果画面４７では、一覧表Ｌ６にピックアップされた各仕訳データの削除結果が表示される。具体的には、一括削除の対象とされた仕訳データの各情報はすべて赤色（図中では破線で示す）の取消線が付され太文字で表示されるとともに、当該仕訳データの「入力（入力方法）」の項目の左隣に設けられた「状態」の項目に、太文字による「削除済」が表示される。一方、一括置換の対象外とされた仕訳データの各情報はすべて灰色文字（図中では細文字で示す）で表示されるとともに、当該仕訳データの「状態」の項目に、灰色文字による「対象外」が表示される。また、削除結果画面４７では、一括削除ボタンＢ１０、すべて選択ボタンＢ７、すべて解除ボタンＢ８は、いずれも押下操作を行うことができない状態（非活性状態）となっている。
【００７７】
次に、初期画面４１において、履歴検索タブｔｂ３の押下操作が行われた際に切替表示される第３の検索条件入力フォームＦ３について説明する。
【００７８】
図１７は、第３の検索条件入力フォームＦ３が表示されているときの初期画面４１を示す図である。
図１７に示すように、第３の検索条件入力フォームＦ３では、検索をかける期間を指定するための指定入力部Ａ１、並びに、一括操作、置換区分及び状態の各検索項目に係る情報を指定入力するための指定入力部Ａ５４〜Ａ５６が表示される。指定入力部Ａ１は、指定方法（月度又は日付）を選択するためのラジオボタンＡ１ａと、開始タイミング及び終了タイミングを選択するためのセレクトボックスＡ１ｂとによって構成されている。指定入力部Ａ５４は、「すべて」、「一括置換」、「一括削除」のうちのいずれかを選択可能なセレクトボックスである。また、指定入力部Ａ５５は、「すべて」、「収入」、「支出」、「振替」、「振替伝票」、「レジ連携」のうちのいずれかを選択可能なセレクトボックスである。また、指定入力部Ａ５６は、「すべて」、「置換済」、「削除済」、「取消済」、「取消エラー」のうちのいずれかを選択可能なセレクトボックスである。
【００７９】
次に、第３の検索条件入力フォームＦ３が表示されているときの初期画面４１において、検索ボタンＢ１の押下操作が行われた際に表示される履歴画面について説明する。
【００８０】
図１８は、図１７の初期画面４１において、検索ボタンＢ１の押下操作が行われた際の履歴画面４８を示す図である。
図１８に示すように、履歴画面４８では、第３の検索条件入力フォームＦ３の下方に、検索条件に該当する一括変更データをピックアップした一覧表Ｌ７が表示される。なお、図１８の履歴画面４８では、第３の検索条件入力フォームＦ３の表示を省略している。
【００８１】
一覧表Ｌ７では、ピックアップされた一括変更データごとに、「日時」、「操作」、「置換区分」、「状態」、「件数」、「取消日時」のそれぞれの項目の情報が表示される。また、一覧表Ｌ７では、「取消日時」の項目の右隣に、各一括変更データに対応付けられた詳細ボタンＢ１１又は取消ボタンＢ１２、並びに、再検索ボタンＢ１３が表示される。
【００８２】
ここで、「日時」とは、一括変更が行われた日時である。「操作」とは、一括変更の態様（一括置換又は一括削除）である。「置換区分」とは、一括置換の対象となった区分（収入、支出、振替、振替伝票、レジ連携）である。「状態」とは、一括変更の状態（成功、取消済、取消エラー）である。「件数」とは、一括変更の対象となった仕訳データの数である。「取消日時」とは、一括変更を取り消した日時である。
【００８３】
詳細ボタンＢ１１は、「状態」の項目が取消済と取消エラーとのいずれかである一括変更データに対応付けられて表示されるボタンであり、当該ボタンの押下操作が行われることで、当該ボタンに対応する一括変更データの詳細を確認することができる。
取消ボタンＢ１２は、「状態」の項目が成功である一括変更データに対応付けられて表示されるボタンであり、当該ボタンの押下操作が行われることで、当該ボタンに対応する一括変更データに係る操作（一括置換又は一括削除）を取り消すことができる。
再検索ボタンＢ１３は、各一括変更データに対応付けられて表示されるボタンであり、当該ボタンの押下操作が行われることで、当該ボタンに対応する一括変更データに係る操作が行われた際の検索結果画面へ移行することができる。
【００８４】
次に、一覧表Ｌ７において、再検索ボタンＢ１３の押下操作が行われた際に表示される検索結果画面について説明する。
【００８５】
図１９は、一覧表Ｌ７において、１２月２５日１５時５５分に操作が行われた一括変更データの再検索ボタンＢ１３の押下操作が行われた際に表示される検索結果画面４９を示す図である。
図１９に示すように、検索結果画面４９では、１２月２５日１５時５５分に操作（一括置換の操作）が行われたときと同様に、検索条件に該当し、且つ、取引区分が「収入」である仕訳データをピックアップした一覧表Ｌ１が表示される。なお、検索結果画面４９では、１２月２５日１５時５５分に操作が行われたときと同様に、第１の検索条件入力フォームＦ１（図示省略）及び第１の置換条件入力フォームＦ４（図示省略）も表示される。また、検索結果画面４９では、一覧表Ｌ１の右上方に戻るボタンＢ１４が表示される。
ユーザは、戻るボタンＢ１４の押下操作を行うことで、履歴画面４８に移行することができる。
【００８６】
図２０は、一覧表Ｌ７において、１１月１１日１２時０１分に操作が行われた一括変更データの再検索ボタンＢ１３の押下操作が行われた際に表示される検索結果画面５０を示す図である。
図２０に示すように、検索結果画面５０では、１１月１１日１２時０１分に操作（一括削除の操作）が行われたときと同様に、検索条件に該当する仕訳データをピックアップした一覧表Ｌ６が表示される。なお、検索結果画面５０では、１１月１１日１２時０１分に操作が行われたときと同様に、第２の検索条件入力フォームＦ２（図示省略）も表示される。また、検索結果画面５０では、一覧表Ｌ６の右上方に戻るボタンＢ１４が表示される。
【００８７】
次に、一覧表Ｌ７において、取消ボタンＢ１２の押下操作が行われた際に表示される一括取消操作画面について説明する。
【００８８】
図２１は、一覧表Ｌ７において、１２月０５日０９時１７分に操作が行われた一括変更データの取消ボタンＢ１２の押下操作が行われた際に表示される一括取消操作画面５１を示す図である。
図２１に示すように、一括取消操作画面５１では、１２月０５日０９時１７分に一括置換された置換済の仕訳データをピックアップした一覧表Ｌ８が表示される。なお、一括取消操作画面５１では、１２月０５日０９時１７分に操作が行われたときと同様に、第１の検索条件入力フォームＦ１（図示省略）及び第２の置換条件入力フォームＦ５（図示省略）も表示される。
【００８９】
一覧表Ｌ８では、ピックアップされた仕訳データごとに、「状態」、「日付」、「決済方法」、「取引先」、「管理番号」、「摘要」、「勘定科目」、「取引金額（円）」、「所属」のそれぞれの項目の情報が太文字で表示されるとともに、置換後の情報（例えば、「決済方法」の項目の情報「掛」）に対して赤色（図中では破線で示す）の取消線が付され、置換後の各情報の真上に置換前の情報（例えば、「決済方法」の項目の情報「現金」）が赤色の太文字（図中では白抜文字で示す）で表示される。
【００９０】
また、一括取消操作画面５１では、一覧表Ｌ８の右上方に、戻るボタンＢ１４と一括取消ボタンＢ１５とが表示される。
ユーザは、一括取消ボタンＢ１５の押下操作を行うことで、一括取消結果画面を表示することができる。
【００９１】
次に、一括取消結果画面について説明する。
図２２は、図２１の一括取消操作画面５１において、一括取消ボタンＢ１５の押下操作が行われた際に表示される一括取消結果画面５２を示す図である。
図２２に示すように、一括取消結果画面５２では、一括取消が行われた取消済の仕訳データを示す一覧表Ｌ９が表示される。なお、一括取消結果画面５２では、一括取消操作画面５１と同様に、第１の検索条件入力フォームＦ１（図示省略）及び第２の置換条件入力フォームＦ５（図示省略）も表示される。
【００９２】
一覧表Ｌ９では、取り消された仕訳データごとに、「状態」、「日付」、「決済方法」、「取引先」、「管理番号」、「摘要」、「勘定科目」、「取引金額（円）」、「所属」のそれぞれの項目の情報が太文字で表示されるとともに、取り消され元に戻った情報（例えば、「決済方法」の項目の情報「現金」）が赤色の太文字（図中では白抜文字で示す）で表示される。
【００９３】
また、一括取消結果画面５２では、一括取消操作画面５１と同様に、戻るボタンＢ１４と一括取消ボタンＢ１５とが表示されるが、一括取消ボタンＢ１５は、押下操作を行うことができない状態（非活性状態）となっている。
【００９４】
図２３は、一覧表Ｌ７において、１１月１１日１２時０１分に操作が行われた一括変更データの取消ボタンＢ１２の押下操作が行われた際に表示される一括取消操作画面５３を示す図である。
図２３に示すように、一括取消操作画面５３では、１１月１１日１２時０１分に一括削除された削除済の仕訳データをピックアップした一覧表Ｌ１０が表示される。なお、一括取消操作画面５３では、１１月１１日１２時０１分に操作が行われたときと同様に、第２の検索条件入力フォームＦ２（図示省略）も表示される。
【００９５】
一覧表Ｌ１０では、ピックアップされた仕訳データごとに、「状態」の項目の情報が黒色の太文字で表示され、「入力」、「取引先」、「区分」、「日付」、「管理番号」、「摘要」、「勘定科目」、「取引金額（円）」のそれぞれの項目の情報が赤色の太文字（図中では白抜文字で示す）で表示されるとともに当該情報に対して黒色（図中では実線で示す）の取消線が付される。
【００９６】
また、一括取消操作画面５３では、一覧表Ｌ１０の右上方に、戻るボタンＢ１４と一括取消ボタンＢ１５とが表示される。
【００９７】
図２４は、図２３の一括取消操作画面５３において、一括取消ボタンＢ１５の押下操作が行われた際に表示される一括取消結果画面５４を示す図である。
図２４に示すように、一括取消結果画面５４では、一括取消が行われた取消済の仕訳データを示す一覧表Ｌ１１が表示される。なお、一括取消結果画面５４では、一括取消操作画面５３と同様に、第２の検索条件入力フォームＦ２（図示省略）も表示される。
【００９８】
一覧表Ｌ１１では、取り消された仕訳データごとに、「状態」、「日付」、「決済方法」、「取引先」、「管理番号」、「摘要」、「勘定科目」、「取引金額（円）」、「所属」のそれぞれの項目の情報が太文字で表示されるとともに、取り消され元に戻った情報（例えば、「取引先」の項目の情報「取引先Ｂ」）が赤色の太文字（図中では白抜文字で示す）で表示される。
【００９９】
また、一括取消結果画面５４では、一括取消操作画面５３と同様に、戻るボタンＢ１４と一括取消ボタンＢ１５とが表示されるが、一括取消ボタンＢ１５は、押下操作を行うことができない状態（非活性状態）となっている。
【０１００】
次に、一覧表Ｌ７において、詳細ボタンＢ１１の押下操作が行われた際に表示される詳細画面について説明する。
【０１０１】
図２５は、一覧表Ｌ７において、１２月２５日１５時５５分に操作が行われた一括変更データの詳細ボタンＢ１１の押下操作が行われた際に表示される詳細画面５５を示す図である。
詳細画面５５では、１２月２５日１６時０９分に一括取消の操作が行われた際に表示される一括取消結果画面と同一の内容の表示がなされる。具体的には、図２５に示すように、詳細画面５５では、第１の検索条件入力フォームＦ１（図示省略）、第１の置換条件入力フォームＦ４（図示省略）、及び、一覧表Ｌ１２が表示される。また、詳細画面５５では、一覧表Ｌ１２の右上方に、戻るボタンＢ１４が表示される。
【０１０２】
一覧表Ｌ１２では、取り消された仕訳データごとに、「状態」、「日付」、「決済方法」、「取引先」、「管理番号」、「摘要」、「勘定科目」、「取引金額（円）」、「所属」のそれぞれの項目の情報が太文字で表示されるとともに、取り消され元に戻った情報（例えば、「取引先」の項目の情報「取引先Ａ」）が赤色の太文字（図中では白抜文字で示す）で表示される。
【０１０３】
図２６は、一覧表Ｌ７において、１０月０３日１０時３３分に操作が行われた一括変更データの詳細ボタンＢ１１の押下操作が行われた際に表示される詳細画面５６を示す図である。
詳細画面５６では、１２月０３日１０時３３分に一括取消の操作が行われた際に表示される一括取消結果画面と同一の内容の表示がなされる。具体的には、図２６に示すように、詳細画面５６では、第１の検索条件入力フォームＦ１（図示省略）、第４の置換条件入力フォームＦ７（図示省略）、及び、一覧表Ｌ１３が表示される。また、詳細画面５６では、一覧表Ｌ１３の右上方に、戻るボタンＢ１４が表示される。
【０１０４】
一覧表Ｌ１３では、取消エラーとなった仕訳データごとに、「状態」、「日付」、「決済方法」、「取引先」、「管理番号」、「摘要」、「勘定科目」、「取引金額（円）」、「所属」のそれぞれの項目の情報が太文字で表示されるとともに、「状態」の項目の情報（例えば、「エラー確定日付」）と、取り消すことができなかった情報の元の情報（例えば、「摘要」の項目の情報「切手代」）とが赤色の太文字（図中では白抜文字で示す）で表示される。図２６に示すように、一括取消の対象とした仕訳データが、変更が制限されている日付（図４中のメッセージＭＳ参照）に該当する仕訳データであったため、１２月０３日１０時３３分に行われた一括取消が取消エラーとなったものである。
【０１０５】
図２７は、一覧表Ｌ７において、１１月０８日１８時０５分に操作が行われた一括変更データの詳細ボタンＢ１１の押下操作が行われた際に表示される詳細画面５７を示す図である。
詳細画面５７では、１２月０８日１８時０５分に一括取消の操作が行われた際に表示される一括取消結果画面と同一の内容の表示がなされる。具体的には、図２７に示すように、詳細画面５７では、第２の検索条件入力フォームＦ２（図示省略）、及び、一覧表Ｌ１４が表示される。また、詳細画面５７では、一覧表Ｌ１４の右上方に、戻るボタンＢ１４が表示される。
【０１０６】
一覧表Ｌ１４では、取り消された仕訳データごとに、「状態」、「入力」、「取引先」、「区分」、「日付」、「管理番号」、「摘要」、「勘定科目」、「取引金額（円）」のそれぞれの項目の情報が太文字で表示されるとともに、取り消され元に戻った情報（例えば、「取引先」の項目の情報「取引先Ｂ」）が赤色の太文字（図中では白抜文字で示す）で表示される。
【０１０７】
図２８は、一覧表Ｌ７において、１０月１０日０６時３３分に操作が行われた一括変更データの詳細ボタンＢ１１の押下操作が行われた際に表示される詳細画面５８を示す図である。
詳細画面５８では、１２月１０日０６時３３分に一括取消の操作が行われた際に表示される一括取消結果画面と同一の内容の表示がなされる。具体的には、図２８に示すように、詳細画面５８では、第２の検索条件入力フォームＦ２（図示省略）及び一覧表Ｌ１５が表示される。また、詳細画面５８では、一覧表Ｌ１５の右上方に、戻るボタンＢ１４が表示される。
【０１０８】
一覧表Ｌ１５では、取消エラーとなった仕訳データごとに、「状態」、「入力」、「取引先」、「区分」、「日付」、「管理番号」、「摘要」、「勘定科目」、「取引金額（円）」のそれぞれの項目の情報（取り消すことができなかった情報の元の情報）が赤色の太文字（図中では白抜文字で示す）で表示される。図２８に示すように、一括取消の対象とした仕訳データが、変更が制限されている日付（図４中のメッセージＭＳ参照）に該当する仕訳データであったため、１２月１０日１０時３３分に行われた一括取消が取消エラーとなったものである。
【０１０９】
＜一括置換処理＞
次に、サーバ２における一括置換処理の制御手順について説明する。
図２９は、一括置換処理の制御手順を示すフローチャートである。この一括置換処理は、端末装置３の表示部３５に初期画面４１（図４参照）が表示されている際、一括置換タブｔｂ１を選択する操作がなされた場合に実行される。なお、初期画面４１の表示直後は、デフォルトとして、一括置換タブｔｂ１が選択された状態となっている。
【０１１０】
一括置換処理が開始されると、ＣＰＵ２１は、表示部３５に表示された初期画面４１において第１の検索条件入力フォームＦ１（図４、図５参照）を表示させる（ステップＳ１）。
【０１１１】
次いで、ＣＰＵ２１は、ユーザによる端末装置３の操作部３４の操作を介して、第１の検索条件入力フォームＦ１へ所望の検索条件を入力させることで当該検索条件を指定する（ステップＳ２）。
【０１１２】
次いで、ＣＰＵ２１は、検索ボタンＢ１を選択する操作がなされたか否かを判定する（ステップＳ３）。
【０１１３】
ステップＳ３において、検索ボタンＢ１を選択する操作がなされていないと判定された場合（ステップＳ３；ＮＯ）、ＣＰＵ２１は、処理をステップＳ２に戻す。
一方、ステップＳ３において、検索ボタンＢ１を選択する操作がなされたと判定された場合（ステップＳ３；ＹＥＳ）、ＣＰＵ２１は、ユーザによる端末装置３の操作部３４の操作を介して、収入タブｔｂ４、支出タブｔｂ５、振替タブｔｂ６、振替伝票タブｔｂ７、レジ連携タブｔｂ８（図６参照）のうちから所望のタブを選択させることで置換区分を指定する（ステップＳ４）。
【０１１４】
次いで、ＣＰＵ２１は、ステップＳ４で指定された置換区分（例えば、「収入」）に対応する置換条件入力フォーム（例えば、第１の置換条件入力フォームＦ４）と検索結果の一覧表（例えば、一覧表Ｌ１）とを検索結果画面４２（図６参照）に表示させる（ステップＳ５）。
【０１１５】
次いで、ＣＰＵ２１は、ユーザによる端末装置３の操作部３４の操作を介して、置換条件入力フォーム（例えば、第１の置換条件入力フォームＦ４）へ所望の置換条件を入力させることで当該置換条件を指定する（ステップＳ６）。
【０１１６】
次いで、ＣＰＵ２１は、確認ボタンＢ５を選択する操作がなされたか否かを判定する（ステップＳ７）。
【０１１７】
ステップＳ７において、確認ボタンＢ５を選択する操作がなされていないと判定された場合（ステップＳ７；ＮＯ）、ＣＰＵ２１は、処理をステップＳ６に戻す。
一方、ステップＳ７において、確認ボタンＢ５を選択する操作がなされたと判定された場合（ステップＳ７；ＹＥＳ）、ＣＰＵ２１は、表示部３５にプレビュー画面４３（図１１参照）を表示させる（ステップＳ８）。
【０１１８】
次いで、ＣＰＵ２１は、一括置換ボタンＢ６を選択する操作がなされたか否かを判定する（ステップＳ９）。
【０１１９】
ステップＳ９において、一括置換ボタンＢ６を選択する操作がなされていないと判定された場合（ステップＳ９；ＮＯ）、ＣＰＵ２１は、処理をステップＳ８に戻す。
一方、ステップＳ９において、一括置換ボタンＢ６を選択する操作がなされたと判定された場合（ステップＳ９；ＹＥＳ）、ＣＰＵ２１は、表示部３５に置換結果画面４５（図１３参照）を表示させる（ステップＳ１０）。
【０１２０】
次いで、ＣＰＵ２１は、一括置換処理の終了に係る所定の終了操作がなされたか否かを判定する（ステップＳ１１）。
【０１２１】
ステップＳ１１において、所定の終了操作がなされていないと判定された場合（ステップＳ１１；ＮＯ）、ＣＰＵ２１は、処理をステップＳ４に戻す。
一方、ステップＳ１１において、所定の終了操作がなされたと判定された場合（ステップＳ１１；ＹＥＳ）、ＣＰＵ２１は、一括置換処理を終了する。
【０１２２】
＜一括削除処理＞
次に、サーバ２における一括削除処理の制御手順について説明する。
図３０は、一括削除処理の制御手順を示すフローチャートである。この一括削除処理は、端末装置３の表示部３５に初期画面４１（図１４参照）が表示されている際、一括削除タブｔｂ２を選択する操作がなされた場合に実行される。
【０１２３】
一括削除処理が開始されると、ＣＰＵ２１は、表示部３５に表示された初期画面４１において第２の検索条件入力フォームＦ２（図１４参照）を表示させる（ステップＳ２１）。
【０１２４】
次いで、ＣＰＵ２１は、ユーザによる端末装置３の操作部３４の操作を介して、第２の検索条件入力フォームＦ２へ所望の検索条件を入力させることで当該検索条件を指定する（ステップＳ２２）。
【０１２５】
次いで、ＣＰＵ２１は、検索ボタンＢ１を選択する操作がなされたか否かを判定する（ステップＳ２３）。
【０１２６】
ステップＳ２３において、検索ボタンＢ１を選択する操作がなされていないと判定された場合（ステップＳ２３；ＮＯ）、ＣＰＵ２１は、処理をステップＳ２２に戻す。
一方、ステップＳ２３において、検索ボタンＢ１を選択する操作がなされたと判定された場合（ステップＳ２３；ＹＥＳ）、ＣＰＵ２１は、検索結果の一覧表（例えば、一覧表Ｌ６）を検索結果画面４６（図１５参照）に表示させる（ステップＳ２４）。
【０１２７】
次いで、ＣＰＵ２１は、一括削除ボタンＢ１０を選択する操作がなされたか否かを判定する（ステップＳ２５）。
【０１２８】
ステップＳ２５において、一括削除ボタンＢ１０を選択する操作がなされていないと判定された場合（ステップＳ２５；ＮＯ）、ＣＰＵ２１は、処理をステップＳ２４に戻す。
一方、ステップＳ２５において、一括削除ボタンＢ１０を選択する操作がなされたと判定された場合（ステップＳ２５；ＹＥＳ）、ＣＰＵ２１は、表示部３５に削除結果画面４７（図１６参照）を表示させ（ステップＳ２６）、一括削除処理を終了する。
【０１２９】
＜履歴検索処理＞
次に、サーバ２における履歴検索処理の制御手順について説明する。
図３１は、履歴検索処理の制御手順を示すフローチャートである。この履歴検索処理は、端末装置３の表示部３５に初期画面４１（図１７参照）が表示されている際、履歴検索タブｔｂ３を選択する操作がなされた場合に実行される。
【０１３０】
履歴検索処理が開始されると、ＣＰＵ２１は、表示部３５に表示された初期画面４１において第３の検索条件入力フォームＦ３（図１７参照）を表示させる（ステップＳ３１）。
【０１３１】
次いで、ＣＰＵ２１は、ユーザによる端末装置３の操作部３４の操作を介して、第３の検索条件入力フォームＦ３へ所望の検索条件を入力させることで当該検索条件を指定する（ステップＳ３２）。
【０１３２】
次いで、ＣＰＵ２１は、検索ボタンＢ１を選択する操作がなされたか否かを判定する（ステップＳ３３）。
【０１３３】
ステップＳ３３において、検索ボタンＢ１を選択する操作がなされていないと判定された場合（ステップＳ３３；ＮＯ）、ＣＰＵ２１は、処理をステップＳ３２に戻す。
一方、ステップＳ３３において、検索ボタンＢ１を選択する操作がなされたと判定された場合（ステップＳ３３；ＹＥＳ）、ＣＰＵ２１は、履歴検索結果の一覧表（例えば、一覧表Ｌ７）を検索結果画面４８（図１８参照）に表示させる（ステップＳ３４）。
【０１３４】
次いで、ＣＰＵ２１は、取消ボタンＢ１２を選択する操作がなされたか否かを判定する（ステップＳ３５）。
【０１３５】
ステップＳ３５において、取消ボタンＢ１２を選択する操作がなされていないと判定された場合（ステップＳ３５；ＮＯ）、ＣＰＵ２１は、処理をステップＳ３９に移す。
一方、ステップＳ３５において、取消ボタンＢ１２を選択する操作がなされたと判定された場合（ステップＳ３５；ＹＥＳ）、ＣＰＵ２１は、表示部３５に一括取消操作画面５１（図２１参照）を表示させる（ステップＳ３６）。
【０１３６】
次いで、ＣＰＵ２１は、一括取消ボタンＢ１５を選択する操作がなされたか否かを判定する（ステップＳ３７）。
【０１３７】
ステップＳ３７において、一括取消ボタンＢ１５を選択する操作がなされていないと判定された場合（ステップＳ３７；ＮＯ）、ＣＰＵ２１は、処理をステップＳ３６に戻す。
一方、ステップＳ３７において、一括取消ボタンＢ１５を選択する操作がなされたと判定された場合（ステップＳ３７；ＹＥＳ）、ＣＰＵ２１は、表示部３５に一括削除結果画面５２（図２２参照）を表示させる（ステップＳ３８）。
【０１３８】
次いで、ＣＰＵ２１は、再検索ボタンＢ１３を選択する操作がなされたか否かを判定する（ステップＳ３９）。
【０１３９】
ステップＳ３９において、再検索ボタンＢ１３を選択する操作がなされていないと判定された場合（ステップＳ３９；ＮＯ）、ＣＰＵ２１は、処理をステップＳ４３に移す。
一方、ステップＳ３９において、再検索ボタンＢ１３を選択する操作がなされたと判定された場合（ステップＳ３９；ＹＥＳ）、ＣＰＵ２１は、表示部３５に再検索画面（例えば、検索結果画面４９；図１９参照）を表示させる（ステップＳ４０）。
【０１４０】
次いで、ＣＰＵ２１は、再現決定ボタン（例えば、確認ボタンＢ５；図１９参照）を選択する操作がなされたか否かを判定する（ステップＳ４１）。
【０１４１】
ステップＳ４１において、再現決定ボタンを選択する操作がなされていないと判定された場合（ステップＳ４１；ＮＯ）、ＣＰＵ２１は、処理をステップＳ４０に戻す。
一方、ステップＳ４１において、再現決定ボタンを選択する操作がなされたと判定された場合（ステップＳ４１；ＹＥＳ）、ＣＰＵ２１は、表示部３５に一括変更画面（例えば、プレビュー画面４３；図１１参照）を表示させる（ステップＳ４２）。
【０１４２】
次いで、ＣＰＵ２１は、履歴検索処理の終了に係る所定の終了操作がなされたか否かを判定する（ステップＳ４３）。
【０１４３】
ステップＳ４３において、所定の終了操作がなされていないと判定された場合（ステップＳ４３；ＮＯ）、ＣＰＵ２１は、処理をステップＳ３５に戻す。
一方、ステップＳ４３において、所定の終了操作がなされたと判定された場合（ステップＳ４３；ＹＥＳ）、ＣＰＵ２１は、履歴検索処理を終了する。
【０１４４】
以上、本実施の形態によれば、サーバ２は、仕訳データ（取引データ）の置換内容をユーザ操作に基づき指定し、指定された置換内容を反映させた仕訳データを表示部３５に表示させ、仕訳データの置換をユーザ操作に基づき確定させたこととなる。
このため、仕訳データを一括して置換する際に、置換内容を反映させた仕訳データを事前に確認したうえで、当該仕訳データの置換を確定させることができるので、仕訳データの置換ミスを未然に防ぐことができる。
【０１４５】
また、本実施の形態によれば、サーバ２は、仕訳データの置換内容として、当該仕訳データの置換対象となる情報と、置換後の情報とをユーザ操作に基づき設定し、指定された置換対象となる情報と置換後の情報とを対応付けて反映させた仕訳データを表示部３５に表示させるので、置換内容を把握し易くなり、置換内容を反映させた仕訳データをスムーズに確認することができるようになる。
【０１４６】
また、本実施の形態によれば、サーバ２は、置換対象となる情報と置換後の情報とを対応付けて反映させた仕訳データが表示部３５に表示されたことを契機として、仕訳データの置換を確定させる一括置換ボタンＢ６を操作可能な状態で表示部３５に表示させるので、置換内容を反映させた仕訳データを確認する前に、当該仕訳データの置換を確定してしまうことを防止することができるので、仕訳データの置換ミスをより確実に防ぐことができる。
【０１４７】
また、本実施の形態によれば、サーバ２は、表示部３５に表示された置換対象となる情報と置換後の情報とを対応付けて反映させた仕訳データを置換の対象とするか否かをユーザ操作に基づき指定し、置換の対象に指定された仕訳データに対してのみ当該仕訳データの置換を確定させるので、置換する必要のない仕訳データまで置換されてしまうことを防止することができる。
【０１４８】
また、本実施の形態によれば、サーバ２は、仕訳データの置換が確定された場合、当該仕訳データを置換後の情報を識別可能な状態で表示部３５に表示させるので、仕訳データの置換ミスをより確実に防ぐことができる。
【０１４９】
また、本実施の形態によれば、サーバ２は、置換対象となる情報と置換後の情報とを対応付けて反映させた仕訳データを表示部３５に表示させる際に、当該置換対象となる情報の置換に伴って変更を要する情報が発生した場合、当該変更を要する情報が発生した旨を告知する「！」マークＭ１を当該仕訳データと対応付けて表示部３５に表示させるので、当該変更を要する情報が発生したことを好適に知らせることができる。
【０１５０】
また、本実施の形態によれば、サーバ２は、更に、ユーザ操作に基づき「！」マークＭ１が指定された場合、置換に伴う変更の概要を表示部３５に表示させるので、当該変更を要する情報が発生したことをより好適に知らせることができる。
【０１５１】
また、本実施の形態によれば、サーバ２は、更に、置換対象となる情報と置換後の情報とを対応付けて反映させた仕訳データの詳細情報を表示させるための虫めがねボタンＢ４を当該仕訳データと対応付けて表示部３５に表示させ、置換対象となる情報の置換に伴って変更を要する情報が発生した場合、虫めがねボタンＢ４の操作に基づき、対応する仕訳データの詳細情報を置換に伴う変更の内容を反映させた状態で表示させるので、当該変更を要する情報が発生したことをより好適に知らせることができる。
【０１５２】
また、本実施の形態によれば、仕訳データを置換の対象とするか否かを指定するためのチェックボックスＣＢ１は、一括置換ボタンＢ６の近傍に配置しないようにしたので、仕訳データを置換の対象とするか否かを指定する操作中に間違えて一括置換ボタンＢ６が押下操作されてしまうことを抑制することができる。
【０１５３】
以上の説明では、本発明に係るプログラムのコンピュータ読み取り可能な媒体として記憶部２３のＨＤＤ、ＳＳＤ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【０１５４】
なお、上記実施の形態における記述は、本発明に係る情報処理装置及びプログラムの一例であり、これに限定されるものではない。
【０１５５】
また、上記実施の形態における経営支援システム１の各構成要素の細部構成及び細部動作に関しては、本発明の趣旨を逸脱することのない範囲で適宜変更可能であることは勿論である。
【０１５６】
例えば、上記実施の形態では、置換区分を「収入」、「支出」、「振替」、「振替伝票」、「レジ連携」の５つに分類しているが、当該置換区分は一例に過ぎず、例えば、置換区分を取引区分である「収入」、「支出」、「振替」の３つに分類するようにしても良い。
【０１５７】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
取引データの置換内容をユーザ操作に基づき指定する指定手段と、
前記指定手段によって指定された置換内容を反映させた前記取引データを表示手段に表示させる第１の表示制御手段と、
前記取引データの置換をユーザ操作に基づき確定させる確定手段と、
を備えることを特徴とする情報処理装置。
＜請求項２＞
前記指定手段は、前記取引データの置換内容として、当該取引データの置換対象となる情報と、置換後の情報とをユーザ操作に基づき設定し、
前記第１の表示制御手段は、前記指定手段によって指定された前記置換対象となる情報と前記置換後の情報とを対応付けて反映させた前記取引データを前記表示手段に表示させることを特徴とする請求項１に記載の情報処理装置。
＜請求項３＞
前記確定手段によって前記取引データの置換を確定させる第１の操作ボタンを前記表示手段に表示させる第２の表示制御手段を備え、
前記第２の表示制御手段は、前記置換対象となる情報と前記置換後の情報とを対応付けて反映させた前記取引データが前記表示手段に表示されたことを契機として、前記第１の操作ボタンを操作可能な状態で前記表示手段に表示させることを特徴とする請求項２に記載の情報処理装置。
＜請求項４＞
前記表示手段に表示された前記置換対象となる情報と前記置換後の情報とを対応付けて反映させた前記取引データを置換の対象とするか否かをユーザ操作に基づき指定する置換対象指定手段を備え、
前記確定手段は、前記置換対象指定手段によって置換の対象に指定された前記取引データに対してのみ当該取引データの置換を確定させることを特徴とする請求項３に記載の情報処理装置。
＜請求項５＞
前記確定手段によって前記取引データの置換が確定された場合、前記取引データを前記置換後の情報を識別可能な状態で前記表示手段に表示させる第３の表示制御手段を備えることを特徴とする請求項２〜４のいずれか一項に記載の情報処理装置。
＜請求項６＞
前記第１の表示制御手段は、前記置換対象となる情報と前記置換後の情報とを対応付けて反映させた前記取引データを前記表示手段に表示させる際に、当該置換対象となる情報の置換に伴って変更を要する情報が発生した場合、当該変更を要する情報が発生した旨を告知する告知情報を当該取引データと対応付けて前記表示手段に表示させることを特徴とする請求項２〜５のいずれか一項に記載の情報処理装置。
＜請求項７＞
前記第１の表示制御手段は、更に、ユーザ操作に基づき前記告知情報が指定された場合、前記置換に伴う変更の概要を前記表示手段に表示させることを特徴とする請求項６に記載の情報処理装置。
＜請求項８＞
前記第１の表示制御手段は、更に、
前記置換対象となる情報と前記置換後の情報とを対応付けて反映させた前記取引データの詳細情報を表示させるための第２の操作ボタンを当該取引データと対応付けて前記表示手段に表示させ、
前記置換対象となる情報の置換に伴って変更を要する情報が発生した場合、前記第２の操作ボタンの操作に基づき、対応する前記取引データの詳細情報を前記置換に伴う変更の内容を反映させた状態で表示させることを特徴とする請求項６又は７に記載の情報処理装置。
＜請求項９＞
前記置換対象指定手段によって前記取引データを置換の対象とするか否かを指定するための置換対象指定フォームは、前記第１の操作ボタンの近傍に配置しないことを特徴とする請求項４に記載の情報処理装置。
＜請求項１０＞
コンピュータを、
取引データの置換内容をユーザ操作に基づき指定する指定手段、
前記指定手段によって指定された置換内容を反映させた前記取引データを表示手段に表示させる表示制御手段、
前記取引データの置換をユーザ操作に基づき確定させる確定手段、
として機能させることを特徴とするプログラム。
【符号の説明】
【０１５８】
１  経営支援システム
２  サーバ
２１  ＣＰＵ
２２  ＲＡＭ
２３  記憶部
２４  操作部
２５  表示部
２６  通信部
２７  バス
３  端末装置
３１  ＣＰＵ
３２  ＲＡＭ
３３  記憶部
３４  操作部
３５  表示部
３６  無線通信部
３７  バス   
Ｎ  通信ネットワーク
【図１】
2019139604.tif 000003
【図２】
2019139604.tif 000004
【図３】
2019139604.tif 000005
【図４】
2019139604.tif 000006
【図５】
2019139604.tif 000007
【図６】
2019139604.tif 000008
【図７】
2019139604.tif 000009
【図８】
2019139604.tif 000010
【図９】
2019139604.tif 000011
【図１０】
2019139604.tif 000012
【図１１】
2019139604.tif 000013
【図１２】
2019139604.tif 000014
【図１３】
2019139604.tif 000015
【図１４】
2019139604.tif 000016
【図１５】
2019139604.tif 000017
【図１６】
2019139604.tif 000018
【図１７】
2019139604.tif 000019
【図１８】
2019139604.tif 000020
【図１９】
2019139604.tif 000021
【図２０】
2019139604.tif 000022
【図２１】
2019139604.tif 000023
【図２２】
2019139604.tif 000024
【図２３】
2019139604.tif 000025
【図２４】
2019139604.tif 000026
【図２５】
2019139604.tif 000027
【図２６】
2019139604.tif 000028
【図２７】
2019139604.tif 000029
【図２８】
2019139604.tif 000030
【図２９】
2019139604.tif 000031
【図３０】
2019139604.tif 000032
【図３１】
2019139604.tif 000033